(57)【要約】【課題】  ユーザによるウェブサイトの閲覧の促進を図ること。【解決手段】  ユーザ端末のウェブサイト閲覧手段が、管理サーバから送信された特定のウェブサイトへのリンクデータを受信して表示するリンク表示手段と、表示されたリンクが選択されたことを表すリンク選択データとユーザによるウェブサイトの閲覧状況を表す閲覧データとを管理サーバに通知する閲覧通知手段と、を備えると共に、管理サーバが、特定のウェブサイトへのリンクデータと、ユーザ端末による表示されたリンクの選択状況及びウェブサイトに対する閲覧状況に基づくポイント付加条件と、が記憶されたリンクデータ記憶手段と、ユーザ端末に対してリンクデータを送信するリンクデータ送信手段と、ユーザ端末から受信したリンク選択データ及び閲覧データと、記憶されたポイント付加条件と、に基づいてユーザに付加するポイントを決定するポイント付加手段と、を備えた。【選択図】図１
2006309381.tif 000002
【特許請求の範囲】
【請求項１】
ウェブサイト閲覧手段が組み込まれたユーザ端末と、前記ユーザ端末に接続された管理サーバと、を備え、
前記管理サーバが、前記ユーザ端末のユーザごとに当該ユーザ端末によるウェブサイトの閲覧状況に応じてポイントを付加する、ポイント付加システムであって、
前記ユーザ端末の前記ウェブサイト閲覧手段が、前記管理サーバから送信された特定のウェブサイトへのリンクデータを受信して表示するリンク表示手段と、前記表示されたリンクが選択されたことを表すリンク選択データとユーザによるウェブサイトの閲覧状況を表す閲覧データとを前記管理サーバに通知する閲覧通知手段と、を備えると共に、
前記管理サーバが、
前記特定のウェブサイトへのリンクデータと、前記ユーザ端末による前記表示されたリンクの選択状況及びウェブサイトに対する閲覧状況に基づくポイント付加条件と、が記憶されたリンクデータ記憶手段と、
前記ユーザ端末に対して前記リンクデータを送信するリンクデータ送信手段と、
前記ユーザ端末から受信した前記リンク選択データ及び前記閲覧データと、前記記憶されたポイント付加条件と、に基づいてユーザに付加するポイントを決定するポイント付加手段と、
この算出されたポイントを前記ユーザごとに記憶して管理するポイント管理手段と、
を備えたことを特徴とするポイント付加システム。
【請求項２】
前記リンクデータは、前記特定のウェブサイトに対する複数種類の行為を前記ユーザ端末にリンクとして表示するよう設定されており、
前記ポイント付加条件は、前記各リンクに対してポイントが付加されるときの前記ユーザ端末による閲覧条件を含み、
前記ユーザ端末の前記閲覧通知手段は、表示された複数の前記リンクのうち選択されたリンクを特定するデータを前記リンク選択データに含めて前記管理サーバに通知する、
ことを特徴とする請求項１記載のポイント付加システム。
【請求項３】
前記管理サーバの前記リンクデータ送信手段は、前記ポイント付加条件を前記リンクデータに付加して前記ユーザ端末に送信すると共に、
前記ユーザ端末の前記リンク表示手段は、前記リンクと共に前記ポイント付加条件を表示する、
ことを特徴とする請求項１又は２記載のポイント付加システム。
【請求項４】
前記ポイント付加条件は、前記特定のウェブサイト内の所定のページに解答が存在する質問及び当該解答から成ると共に、前記解答のページをユーザ端末が閲覧することによりポイントが付加されるよう設定されており、
前記ユーザ端末の前記リンク表示手段は、前記質問部分を表示する、
ことを特徴とする請求項３記載のポイント付加システム。
【請求項５】
ウェブサイト閲覧手段が組み込まれたユーザ端末に接続され、前記ユーザ端末のユーザごとに当該ユーザ端末によるウェブサイトの閲覧状況に応じてポイントを付加して管理する管理サーバであって、
特定のウェブサイトへのリンクデータと、前記リンクデータに基づいて前記ユーザ端末に表示されるリンクの当該ユーザ端末による選択状況及び当該ユーザ端末によるウェブサイトの閲覧状況に基づくポイント付加条件と、が記憶されたリンクデータ記憶手段と、
前記ユーザ端末に対してリンク表示するよう前記リンクデータを送信するリンクデータ送信手段と、
前記ユーザ端末に表示されたリンクが選択されたことを表すリンク選択データ及びユーザによるウェブサイトの閲覧状況を表す閲覧データを前記ユーザ端末から受信して、当該リンク選択データ及び閲覧データと前記記憶されたポイント付加条件とに基づいてユーザに付加するポイントを決定するポイント付加手段と、
この算出されたポイントを前記ユーザごとに記憶して管理するポイント管理手段と、
を備えたことを特徴とする管理サーバ。
【請求項６】
ウェブサイト閲覧手段が組み込まれたユーザ端末に接続され、
前記ユーザ端末のユーザごとに当該ユーザ端末によるウェブサイトの閲覧状況に応じてポイントを付加して管理すると共に、
特定のウェブサイトへのリンクデータと、前記リンクデータに基づいて前記ユーザ端末に表示されるリンクの当該ユーザ端末による選択状況及び当該ユーザ端末によるウェブサイトの閲覧状況に基づくポイント付加条件と、が記憶されたリンクデータ記憶手段、を備えた管理サーバに、
前記ユーザ端末に対してリンク表示するよう前記リンクデータを送信するリンクデータ送信手段と、
前記ユーザ端末に表示されたリンクが選択されたことを表すリンク選択データ及びユーザによるウェブサイトの閲覧状況を表す閲覧データを前記ユーザ端末から受信して、当該リンク選択データ及び閲覧データと前記記憶されたポイント付加条件とに基づいてユーザに付加するポイントを決定するポイント付加手段と、
この算出されたポイントを前記ユーザごとに記憶して管理するポイント管理手段と、
を実現するためのポイント付加用プログラム。
【請求項７】
ウェブサイト閲覧手段が組み込まれたユーザ端末に接続され、
前記ユーザ端末のユーザごとに当該ユーザ端末によるウェブサイトの閲覧状況に応じてポイントを付加すると共に、
特定のウェブサイトへのリンクデータと、前記リンクデータに基づいて前記ユーザ端末に表示されるリンクの当該ユーザ端末による選択状況及び当該ユーザ端末によるウェブサイトに対する閲覧状況に基づくポイント付加条件と、が記憶されたリンクデータ記憶手段、を備えた管理サーバを用いたポイント付加方法であって、
前記管理サーバが、
前記ユーザ端末に対してリンク表示するよう前記リンクデータを送信し、
前記ユーザ端末に表示されたリンクが選択されたことを表すリンク選択データ及びユーザによるウェブサイトの閲覧状況を表す閲覧データを前記ユーザ端末から受信し、
受信した前記リンク選択データ及び前記閲覧データと、前記記憶されたポイント付加条件と、に基づいてユーザに付加するポイントを決定し、
この算出されたポイントを前記ユーザごとに記憶して管理する、
ことを特徴とするポイント付加方法。
【発明の詳細な説明】
【技術分野】
【０００１】
本発明は、ポイント付加システムにかかり、特に、ユーザによるウェブサイトの閲覧状況に応じて当該ユーザごとにポイントを付加するシステムに関する。また、ポイント付加方法及びプログラムに関する。
【背景技術】
【０００２】
近年、インターネット人口の増加に伴い、ウェブサイト上への広告数も増加している。そして、広告主としては、潜在顧客に対してまず広告リンクをクリックしてもらい、商品購入まで導くことができるよう、広告商品に適合した所定のウェブサイトへのアクセスユーザの属性を予測して、広告の出稿先を決定している。
【０００３】
また、ウェブサイト上の広告へのクリック数の増加を図るべく、特許文献１に示すように、ユーザに対して所定の特典を付与するポイントを設定する、ということが行われている。例えば、広告をクリックした場合や、商品を購入させた場合などにポイントを付加する、ことが行われている。
【０００４】
【特許文献１】特開２００２−１３３２４０号公報
【発明の開示】
【発明が解決しようとする課題】
【０００５】
しかしながら、広告を出稿するウェブサイトを閲覧するユーザの属性はあくまで予測である。従って、必ずしも多くのユーザが広告に興味を持つとは限らず、効率のよい広告掲載が困難である、という問題が生じる。仮に、ユーザ登録などにより、ウェブサイトを閲覧するユーザの基本属性が予め判明している場合であっても、かかる情報からユーザの興味を絞り込むことはやはり困難である。そして、例えば自社サイトに興味を持って訪れるユーザが他のどのようなサイトに興味を持つか、ということを予測することは困難である。以上より、自サイトに効率よくユーザを誘導することができない、という問題が生じていた。
【０００６】
そして、上記問題点を解消すべく、上述したように、ポイントを付加するという行為によりユーザに対するサービスを向上させたとしても、ポイント目的に広告リンクをクリックしたり、資料請求するなど、最終的な目標である商品販売数が伸びない、という問題が生じうる。すなわち、広告リンクをクリックすることでかかるページへのアクセスは向上するものの、肝心の販売する商品に関するページはユーザに時間をかけて閲覧してもらえず、商品をアピールする機会を増やすことが困難である。すると、ユーザに付加するポイントなどに対する対価の出費が多くなり、依然として、効率的な広告掲載を行うことができない、という問題が生じていた。
【０００７】
このため、本発明では、上記従来例の有する不都合を改善し、特に、ユーザによるウェブサイトの閲覧の促進を図る、ことをその目的とする。
【課題を解決するための手段】
【０００８】
そこで、本発明であるポイント付加システムは、
ウェブサイト閲覧手段が組み込まれたユーザ端末と、ユーザ端末に接続された管理サーバと、を備え、
管理サーバが、ユーザ端末のユーザごとに当該ユーザ端末によるウェブサイトの閲覧状況に応じてポイントを付加する、ポイント付加システムであって、
ユーザ端末のウェブサイト閲覧手段が、管理サーバから送信された特定のウェブサイトへのリンクデータを受信して表示するリンク表示手段と、表示されたリンクが選択されたことを表すリンク選択データとユーザによるウェブサイトの閲覧状況を表す閲覧データとを管理サーバに通知する閲覧通知手段と、を備えると共に、
管理サーバが、
特定のウェブサイトへのリンクデータと、ユーザ端末による表示されたリンクの選択状況及びウェブサイトに対する閲覧状況に基づくポイント付加条件と、が記憶されたリンクデータ記憶手段と、
ユーザ端末に対してリンクデータを送信するリンクデータ送信手段と、
ユーザ端末から受信したリンク選択データ及び閲覧データと、記憶されたポイント付加条件と、に基づいてユーザに付加するポイントを決定するポイント付加手段と、
この算出されたポイントをユーザごとに記憶して管理するポイント管理手段と、
を備えたことを特徴としている。
【０００９】
上記発明によると、まず、ユーザ端末のウェブサイト閲覧手段には、管理サーバから受信したリンクデータに基づく広告サイトなどのウェブサイトへのリンクが表示される。そして、ユーザがこのリンクをクリックすると、リンクを選択したことが管理サーバに通知されると共に、閲覧されたウェブサイトの閲覧状況も通知される。すると、管理サーバでは、ウェブサイトの閲覧状況に応じて、予め設定されたポイント付加条件を満たすか否かが判断され、満たしている場合にはポイントが付加される。そして、かかるユーザのポイントとして記憶して管理する。従って、ユーザは、ポイントを得るために広告サイトのリンクをクリックするのみならず、その後にポイント付加条件を満たすべく所定の閲覧を行う必要があるため、リンク先のサイト主側としては、ユーザに対して効率よく所定のサイトの閲覧を促進させることができる。
【００１０】
また、リンクデータは、特定のウェブサイトに対する複数種類の行為をユーザ端末にリンクとして表示するよう設定されており、
ポイント付加条件は、各リンクに対してポイントが付加されるときのユーザ端末による閲覧条件を含み、
ユーザ端末の閲覧通知手段は、表示された複数のリンクのうち選択されたリンクを特定するデータをリンク選択データに含めて管理サーバに通知する、
ことを特徴としている。
【００１１】
これにより、複数種類のリンクがユーザ端末に表示されると共に、いずれかのリンクが選択されるとその選択されたリンクが管理サーバに通知される。そして、管理サーバでは、ユーザ端末から通知される閲覧状況と、選択されたリンクに応じて設定されたポイント付加条件と、を比較して、予め設定されたポイントを付加する。これにより、ユーザのウェブサイトの閲覧状況に応じたポイントが付加されるため、ユーザの目的に応じたウェブサイトを閲覧させつつ、不要なポイントを与えることを抑制することができ、効果的にユーザに対してウェブサイトを閲覧させることができる。
【００１２】
また、管理サーバのリンクデータ送信手段は、ポイント付加条件をリンクデータに付加してユーザ端末に送信すると共に、
ユーザ端末のリンク表示手段は、リンクと共にポイント付加条件を表示する、
ことを特徴としている。
【００１３】
このとき、ポイント付加条件は、特定のウェブサイト内の所定のページに解答が存在する質問及び当該解答から成ると共に、解答のページをユーザ端末が閲覧することによりポイントが付加されるよう設定されており、
ユーザ端末のリンク表示手段は、質問部分を表示する、
ことを特徴としている。
【００１４】
これにより、ポイントが付加される条件がユーザ端末に表示されるため、ユーザがこれに従ってウェブサイトを閲覧することが促進され、ユーザに対してウェブサイトの内容を効率よく理解させることができる。特に、上述したように質問形式にした場合には、ユーザはポイントを得るべく表示された質問に対する解答ページを探すようウェブサイト内を閲覧するため、さらにユーザによるウェブサイトの内容理解の促進を図ることができる。
【００１５】
また、本発明の他の形態である管理サーバは、
ウェブサイト閲覧手段が組み込まれたユーザ端末に接続され、ユーザ端末のユーザごとに当該ユーザ端末によるウェブサイトの閲覧状況に応じてポイントを付加して管理する管理サーバであって、
特定のウェブサイトへのリンクデータと、リンクデータに基づいてユーザ端末に表示されるリンクの当該ユーザ端末による選択状況及び当該ユーザ端末によるウェブサイトの閲覧状況に基づくポイント付加条件と、が記憶されたリンクデータ記憶手段と、
ユーザ端末に対してリンク表示するようリンクデータを送信するリンクデータ送信手段と、
ユーザ端末に表示されたリンクが選択されたことを表すリンク選択データ及びユーザによるウェブサイトの閲覧状況を表す閲覧データをユーザ端末から受信して、当該リンク選択データ及び閲覧データと記憶されたポイント付加条件とに基づいてユーザに付加するポイントを決定するポイント付加手段と、
この算出されたポイントをユーザごとに記憶して管理するポイント管理手段と、
を備えたことを特徴としている。
【００１６】
また、本発明の他の形態であるポイント付加用プログラムは、
ウェブサイト閲覧手段が組み込まれたユーザ端末に接続され、
ユーザ端末のユーザごとに当該ユーザ端末によるウェブサイトの閲覧状況に応じてポイントを付加して管理すると共に、
特定のウェブサイトへのリンクデータと、リンクデータに基づいてユーザ端末に表示されるリンクの当該ユーザ端末による選択状況及び当該ユーザ端末によるウェブサイトの閲覧状況に基づくポイント付加条件と、が記憶されたリンクデータ記憶手段、を備えた管理サーバに、
ユーザ端末に対してリンク表示するようリンクデータを送信するリンクデータ送信手段と、
ユーザ端末に表示されたリンクが選択されたことを表すリンク選択データ及びユーザによるウェブサイトの閲覧状況を表す閲覧データをユーザ端末から受信して、当該リンク選択データ及び閲覧データと記憶されたポイント付加条件とに基づいてユーザに付加するポイントを決定するポイント付加手段と、
この算出されたポイントをユーザごとに記憶して管理するポイント管理手段と、
を実現することを特徴としている。
【００１７】
また、本発明の他の形態であるポイント付加方法は、
ウェブサイト閲覧手段が組み込まれたユーザ端末に接続され、
ユーザ端末のユーザごとに当該ユーザ端末によるウェブサイトの閲覧状況に応じてポイントを付加すると共に、
特定のウェブサイトへのリンクデータと、リンクデータに基づいてユーザ端末に表示されるリンクの当該ユーザ端末による選択状況及び当該ユーザ端末によるウェブサイトに対する閲覧状況に基づくポイント付加条件と、が記憶されたリンクデータ記憶手段、を備えた管理サーバを用いたポイント付加方法であって、
管理サーバが、
ユーザ端末に対してリンク表示するようリンクデータを送信し、
ユーザ端末に表示されたリンクが選択されたことを表すリンク選択データ及びユーザによるウェブサイトの閲覧状況を表す閲覧データをユーザ端末から受信し、
受信したリンク選択データ及び閲覧データと、記憶されたポイント付加条件と、に基づいてユーザに付加するポイントを決定し、
この算出されたポイントをユーザごとに記憶して管理する、
ことを特徴としている。
【００１８】
上記構成の管理サーバ、プログラム、ポイント付加方法であっても、上述したポイント付加システムと同様に作用するため、上記本発明の目的を達成することができる。
【発明の効果】
【００１９】
本発明は、以上のように構成され機能するので、これによると、ユーザは、ポイントを得るためにはリンクをクリックするのみならず、ポイント付加条件を満たすべく所定の閲覧を行う必要があるため、これにより、ユーザによるウェブサイトの閲覧が促進され、リンク先のウェブサイト側としてはユーザに対して、サイト内容を効率よく提供することができる、という従来にない優れた効果を有する。
【発明を実施するための最良の形態】
【００２０】
本発明であるポイント付加システムは、単にリンクをクリックしただけではポイントを発生せず、予めポイント発生条件として設定されている閲覧行為をユーザが行うことでポイントを付加する点に特徴を有する。以下、具体的なシステムの構成及び動作を、実施例を参照して説明する。
【実施例１】
【００２１】
本発明の第１の実施例を、図１乃至図６を参照して説明する。図１は、本発明の全体構成を示すブロック図であり、図２乃至図３は、各装置の構成を示す機能ブロック図である。図４乃至図５は、本発明の説明図である。図６は、本発明の動作を示すフローチャートである。
【００２２】
［構成］
図１に示すように、本発明であるポイント付加システムは、ウェブブラウザ１０（ウェブサイト閲覧手段）が組み込まれた複数のユーザ端末１と、このユーザ端末１にネットワークＮを介して接続された管理サーバ２と、を備えている。また、ネットワークＮには、ユーザ端末１による閲覧対象となるウェブサイト３０を開設するウェブサーバ３が複数接続されている。以下、各コンピュータ１，２，３について詳述する。
【００２３】
＜ユーザ端末＞
ユーザ端末１は、一般ユーザが操作するパーソナルコンピュータなどの情報処理端末であり、図２に示すように、ＣＰＵなどの演算装置１Ａ、ハードディスクなどの記憶装置１Ｂ、入力装置１Ｃ、出力装置１Ｄ、ネットワークアダプタなどの通信装置（図示せず）、といったコンピュータとしての基本装置が備えられている。
【００２４】
このユーザ端末１には、ウェブサイトを閲覧するためのウェブブラウザ１０と呼ばれる閲覧ソフトウェアが組み込まれている。そして、さらに、本発明であるユーザごとにポイントを付加する機能を実現するプログラムが組み込まれており、具体的には、ウェブブラウザ１０にプラグインされた状態で組み込まれる。そして、そのユーザインタフェースであるポイント付加用ツールバーがウェブブラウザ１０上に形成される。このツールバー４の一例を図４に示し、その表示内容については後述する。
【００２５】
そして、上記ポイント付加機能を実現するために、演算装置１Ａには、上述したプログラムが組み込まれることにより、図２に示すように、ユーザ登録処理部１１と、リンクデータ受付処理部１２と、リンク表示処理部１３と、閲覧データ通知処理部１４と、サイトアドレス収集処理部１５と、が構築されている。また、記憶装置１Ｂには、ユーザＩＤ記憶部１６が形成されている。以下、各処理部１１〜１５、記憶部１６について詳述する。
【００２６】
まず、ユーザ登録処理部１１は、ユーザの入力装置１Ｃを介した操作により管理サーバ２にアクセスし、ユーザの氏名など個人情報を送信する。すると、後述するように、管理サーバ２にてユーザ登録が行われ、当該管理サーバ２にて発行されたユーザＩＤ（ユーザ識別データ）が送信されるため、これを受信して記憶装置１ＢのユーザＩＤ記憶部１６に記憶する。
【００２７】
リンクデータ受付処理部１２及びリンク表示処理部１３（リンク表示手段）は、管理サーバ２から送信された特定のウェブサイトへのリンクデータを受信して、ウェブブラウザ１０上のツールバー４に形成された広告表示部４１に、上記リンクデータに基づくリンク項目を表示する。具体的には、リンクデータ受付処理部１２は、ユーザがウェブブラウザ１０を起動すると、ユーザＩＤをユーザＩＤ記憶部１６から読み出して管理サーバ２に通知し、これに応じて当該管理サーバ２から登録ユーザ宛に送信されたリンクデータを受信し、リンク表示部１３に通知する。そして、リンク表示部１３では、リンクデータである予め管理サーバ２に蓄積されている所定の企業のウェブサイトにリンクされる広告データを、出力装置１Ｄであるディスプレイ上に表示されたツールバー４上に表示する。
【００２８】
ここで、所定の企業のウェブサイトにリンクされる上記リンクデータは、当該ウェブサイトに対してユーザが希望する複数種類の閲覧行為を、各リンク項目として表示するよう設定されている。例えば、図４に示す広告表示部４１に表示される「ＳＳＳ社」の広告では、「ＴＯＰ」ページの閲覧（符号４１ａ）、「クイズ」への回答（符号４１ｂ）、企業が販売する商品の「購入」（符号４１ｃ）などのユーザが希望可能なウェブサイト上での行為が表示され、それぞれには、各行為によってユーザに付加されるポイント値も一緒に表示される。なお、表示されるリンク項目は、上述した項目に限定されない。また、リンク項目は、後述するように情報表示部４２など、ウェブブラウザ１０上の他の位置に表示されてもよい。
【００２９】
また、リンク表示部１３は、ツールバー４に形成された情報表示部４２に、種々の情報を表示する。図４の例では、管理サーバ２から送信された他の広告サイトなどの関連サイトを表示する。
【００３０】
さらに、上記管理サーバ２から送信されるリンクデータには、上述したように、広告表示部４１に表示された広告の項目に対して、ユーザにポイントが付加されるためのポイント付加条件が含まれている。従って、そのポイント付加条件をユーザに通知すべく、リンク表示部１３は、情報表示部４２に表示する機能を有している。かかる表示の具体例については後述する。
【００３１】
閲覧データ通知処理部１４（閲覧通知手段）は、まず、ツールバー４の広告表示部４１に表示された各リンク項目（４１ａ，４１ｂ，４１ｃ）が選択されたときに、そのリンク項目を特定し当該リンク項目が選択された旨を表すデータ（リンク選択データ）を管理サーバ２に通知する。また、ユーザによるウェブサイトの閲覧状況、すなわち、ユーザ端末１のウェブブラウザ１０にて閲覧されているウェブサイトのアドレスデータであるＵＲＬ（閲覧データ）を管理サーバ２に通知する。なお、このアドレスデータは、サイトアドレス収集処理部１５にてウェブブラウザに表示されているアドレスデータが収集され、閲覧データ通知手段に通知される。さらに詳述すると、上記サイトアドレス収集処理部１５は、ユーザがウェブブラウザ１０を起動してウェブサイト３０の閲覧を開始すると、当該閲覧されているウェブサイトが常時監視され、そのアドレスデータ（ＵＲＬ）がすべて収集され閲覧データ通知処理部１４に通知する。
【００３２】
＜管理サーバ＞
次に、管理サーバ２について説明する。管理サーバ２は、図３に示すように、ＣＰＵなどの演算装置２Ａ、ハードディスクなどの記憶装置２Ｂ、ネットワークアダプタなどの通信装置（図示せず）、といったコンピュータとしての基本装置を備えたサーバコンピュータである。
【００３３】
そして、演算装置２Ａには、ウェブサイト閲覧支援用プログラムが組み込まれることで、ユーザ登録処理部２１、リンクデータ送信処理部２２、サイトデータ受付処理部２３、ポイント付加処理部２４、ポイント管理処理部２５、が構築されている。また、記憶装置２Ｂには、ユーザデータ記憶部２６、広告データ記憶部２７、が形成されている。以下、各処理部２１〜２５、各記憶部２６，２７について詳述する。
【００３４】
ユーザ登録処理部２１は、ユーザ端末１から送信されたユーザ登録にかかるデータ、すなわち、ユーザの氏名などのデータを受信し、ユーザデータ記憶部２６（ユーザデータ記憶手段）に記憶する。また、ユーザ登録処理部２１は、新規ユーザにユーザＩＤを発行し、ユーザデータとして記憶すると共に、ユーザ端末１に通知する機能を有する。なお、上記ユーザデータ記憶部２６には、当該各ユーザごとに付与されるポイントデータが各ユーザデータに関連付けられて記憶される。
【００３５】
リンクデータ送信処理部２２（リンクデータ送信手段）は、ユーザ端末１にてブラウザが起動され、当該ユーザ端末１からユーザＩＤが送信されると、登録ユーザであるか否かをユーザデータ記憶部２６中のデータと照会する。そして、登録ユーザである場合には、広告データ記憶部２７（リンクデータ記憶手段）に記憶されている各企業のウェブサイトへのリンクを表す広告データであるリンクデータを読み出して、ユーザ端末１に送信する。ここで、ユーザ端末１に送信されるリンクデータの内容（リンク先のウェブサイトの内容）は、例えば、ユーザデータとして予め登録されているユーザの趣味や職業、年齢、性別などによって管理サーバ２にて決定されてもよい。あるいは、ユーザ端末１から通知された現在ブラウザに表示されているウェブサイトに関連する内容のリンクデータが管理サーバ２にて選択されて、送信されてもよい。
【００３６】
ここで、上記広告データ記憶部２７には、上記各リンク項目を表すリンクデータに関連付けられて、各リンク項目がユーザにて選択された際に当該各リンク項目ごとにおいてユーザにポイントを付加するための条件となるポイント付加条件が、予め設定され記憶されている。つまり、ユーザ端末１に表示されたリンク項目のユーザによる選択状況及びユーザによるウェブサイトの閲覧状況に基づくポイント付加条件が記憶されている。このポイント付加条件の全部あるいは一部は、上記リンクデータ送信処理部２２にて、リンクデータと共にユーザ端末１に送信される。
【００３７】
上記ポイント付加条件についてさらに詳述する。ポイント付加条件とは、リンクとして表示された各項目（ＴＯＰ、クイズ、購入など）に対してポイントが付加されるときのユーザ端末１によるウェブサイトの閲覧条件である。具体的には、リンク項目「クイズ」においては、特定のウェブサイト内の所定のページに解答が存在する質問データ及び解答データ、さらに付加されるポイント値、からポイント付加条件が構成されている。そして、解答のページをユーザ端末１が閲覧することによりポイントが付加されるよう設定されている。つまり、解答ページのＵＲＬが解答データとして含まれており、かかるＵＲＬが質問データの表示後にユーザ端末１から閲覧データとして送信されると、ポイントが付加されることとなる。なお、ポイント付加条件のうち、ユーザ端末１に送信されるデータは質問部分だけであり、仮に解答部分が送信されたとしても質問部分のみがブラウザ１０のツールバー４に表示されるのみで、解答部分は表示されない。この具体例については、動作説明時に詳述する。
【００３８】
サイトデータ受付処理部２３は、ユーザ端末１からリンク項目選択時に送信されたリンク項目を選択する旨の情報であるリンク選択データと、ウェブサイト閲覧時に送信されたウェブサイトのアドレスデータ（ＵＲＬ）である閲覧データと、を受信して、リンクデータ送信処理部２２、及び、ポイント付加処理部２４に通知する。
【００３９】
なお、閲覧データの通知を受けた上記リンクデータ送信処理部２２は、広告データ記憶部２７に記憶されたポイント付加条件に基づいて設定されているユーザ端末１に表示するデータを読み出して送信する。すなわち、このリンクデータ送信処理部２２は、上述したようにブラウザ起動時にユーザ端末１に対してリンクデータを送信するだけでなく、ユーザにて選択されたリンク選択データと閲覧データとに基づいて、新たなリンクデータやポイント付加条件データをユーザ端末１に送信する機能を有する。例えば、リンク項目「クイズ」がユーザにて選択された場合には、「クイズ」に該当する質問データを読み出して、ユーザ端末１に送信する。
【００４０】
そして、ポイント付加処理部２４（ポイント付加手段）は、ユーザ端末１から受信したリンク選択データ及び閲覧データと、広告データ記憶部２７に記憶されたポイント付加条件と、に基づいてユーザに付加するポイントを決定する。例えば、リンク項目「クイズ」がユーザにて選択された場合には、上述したように「クイズ」に該当する質問データがユーザ端末１に送信され表示されるが、これに対応する解答ページをユーザが閲覧して、かかる解答ページのＵＲＬが管理サーバ２に通知されることにより、ポイント付加処理部２４にて通知されたＵＲＬがポイント付加条件として記憶されているか否かが判断される。そして、正解である場合にはポイント付加条件が満たされたと判断し、ユーザにポイントを付加するよう設定し、ポイント管理処理部２５に通知する。
【００４１】
ポイント管理処理部２５（ポイント管理手段）は、上記通知されたユーザごとにポイントを付加して、ユーザデータ記憶部２６に記憶し、各ユーザ毎のポイント値を管理する。なお、このポイントは、現金に還元できたり、あるいは、他のショッピング時に利用できるなど、所定の特典を受けられるものである。
【００４２】
［動作］
次に、本発明の動作を、図６のシーケンス図を参照して説明する。また、ツールバー４の表示の具体例を、図５を参照して説明する。
【００４３】
まず、ユーザは、本システムを利用するために、事前にユーザ登録を行う。このため、ユーザ端末１にて管理サーバ２にアクセスし、ユーザの氏名や住所、年齢、職業、ポイント還元用銀行口座など、ユーザデータを送信する（ステップＳ１）。すると、管理サーバ２では受信した情報に基づいてユーザ登録が行われ（ステップＳ２）、ユーザを特定するユーザＩＤが発行される。そして、管理サーバ２は、かかるユーザＩＤをユーザ端末１に通知し（ステップＳ３）、これを受けたユーザ端末１は、ユーザＩＤを記憶保持する（ステップＳ４）。
【００４４】
その後、ユーザにてウェブブラウザ１０が起動され、ウェブサイトの閲覧が開始されると（ステップＳ１１）、まず、記憶されているユーザＩＤが管理サーバ２に通知される（ステップＳ１２）。これを受けた管理サーバ２は、通知されたユーザＩＤに対応するユーザデータをユーザデータ記憶部２６内において検索し、登録ユーザである場合には、かかるユーザがログインされた状態とし、当該ユーザのポイント管理を開始する。
【００４５】
そして、管理サーバ２は、ユーザ端末１に対してリンクデータ及びポイント付加条件を送信する（ステップＳ１３）。このとき、リンクデータは、登録されているユーザデータに関連するリンク先が含まれているものや、ウェブブラウザにて現在閲覧されているサイトの内容に関連したものなどが管理サーバ２にて選択されて、ユーザ端末１に送信されてもよい。すると、ユーザ端末１は、受信したリンクデータに基づいて、図４に示すように、ウェブブラウザ１０のツールバー４に広告リンクの表示を行う（ステップＳ１４）。その後、ユーザにて所定のリンク項目が選択されると、選択されたリンク項目を特定するデータが管理サーバ２に通知される（ステップＳ１５）。また、ブラウザ１０にて閲覧されているウェブサイトのＵＲＬもユーザ端末１から管理サーバ２に通知される（ステップＳ１５）。なお、上記ステップＳ１３〜Ｓ１５までの処理（ステップＳ２０）は、必要に応じて繰り返し実行される。例えば、リンク項目の選択データの通知に対応して、あるいは、ブラウザによるウェブサイトの閲覧状況に対応して、さらにユーザ端末１に表示すべきリンク項目やポイント付加条件などが存在する場合には、新たなポイント付加条件やリンクデータを広告データ記憶部２７から読み出して送信する。
【００４６】
その後、管理サーバ２では、受信した閲覧データが予め設定されているポイント付加条件を満たしているかどうかを調べ、満たしている場合にはユーザに対してポイントを付加する（ステップＳ１６）。そして、このポイントを、ユーザごとユーザデータ記憶部２６内に記憶する。
【００４７】
ここで、ユーザが表示されているリンク項目を選択したときの例を、図５を参照して説明する。まず、図５（ａ）は、リンク項目である「クイズ」４１ｂが選択されたときの一例である。「クイズ」４１ｂが選択されると、ユーザ端末１には、リンクデータに含められたポイント付加条件としての質問データである「当社の新型小型車「ααα」の排気量は？記載しているページを探してください」という文章が、情報表示部４２に表示される。そして、この質問データの表示に対して、ユーザがブラウザにて解答のページを検索し閲覧すると、当該ブラウザに表示されたページのＵＲＬ（閲覧データ）が管理サーバ２に通知される。すると、管理サーバ２では、通知されたＵＲＬと、広告データ記憶部２７に記憶している解答のＵＲＬとを比較して、一致する場合にはポイント付加条件を満たしていると判断し、ユーザに対してポイントを付加する。なお、かかる場合には、例えば、図５（ｂ）に示す文章「ありがとうございました。さらに資料請求で１０００ＰＯＩＮＴ溜まります」をツールバー４の情報表示部４２に表示する。
【００４８】
ここで、図５（ｂ）に示す文章中の「資料請求」の文字にはさらにリンクが設定されており、かかるリンクが新たにポイントを付加するためのリンク項目となっている。従って、かかるリンクをユーザが選択することで、リンク選択データが管理サーバ２に通知される。そして、この場合のポイント付加条件としては、資料請求完了画面のＵＲＬが表示されることが設定されており、かかるＵＲＬがユーザ端末１にて閲覧され管理サーバ２に通知された場合に、ポイント付加条件が満たされ新たにポイントが付加されることとなる。
【００４９】
また、図５（ｃ）には、上記資料請求が完了した後のツールバー４の様子を示す。かかる表示においても、文章中に「その他利用規約」というリンクが表示されており、かかるリンクをユーザが選択し、利用規約のページを閲覧すると、ポイント付加条件が満たされたと管理サーバ２にて判断され、新たにポイントが付加されることとなる。
【００５０】
なお、上述した「クイズ」に正解し、ユーザに対してポイントが付加されると、かかるユーザのデータデータにクイズが終了した旨のデータが管理サーバ２にて記憶される。これを参照することで、クイズを２回以上行おうとするユーザに対しては、図５（ｄ）に示すような文章がツールバー４に表示される。これにより、クイズを複数回行ったユーザに対してポイントが重複して付加されることを抑制することができる。なお、他の項目に対しても同様に、同一のリンク項目に対して複数回のポイント付加が行われないよう管理サーバ２は機能する。
【００５１】
このようにすることにより、ユーザは、ポイントを得るために広告サイトのリンクをクリックするのみならず、その後にポイント付加条件を満たすべく、所定の閲覧を行う必要がある。例えば、クイズの解答を探すべくサイト内を検索したり、資料請求を行ったり、さらには、利用規約を閲覧するなど、ユーザはリンク先のウェブサイトを注意深く閲覧することとなる。従って、ユーザが注意深く閲覧する過程を経ることにより、ユーザに対してウェブサイトにて公開されている商品などの詳細を十分に理解させることができる。その結果、ウェブサイトによる広告効果の向上、販売促進の向上を図ることができる。
【００５２】
なお、リンクデータに設定されているリンク項目、及び、当該リンク項目に対応するポイント付加条件は、上述したものに限定されない。また、付加されるポイント値も、上記の値に限定されない。
【産業上の利用可能性】
【００５３】
本発明であるポイント付加システムは、ウェブサイトの閲覧を促進させるべくユーザ端末とネットワーク上に設置されたサーバに組み込むことができ、産業上の利用可能性を有する。
【図面の簡単な説明】
【００５４】
【図１】本発明の全体構成を示すブロック図である。
【図２】ユーザ端末の構成を示す機能ブロック図である。
【図３】管理サーバの構成を示す機能ブロック図である。
【図４】ユーザ端末に表示されるウェブブラウザの一例を示す図である。
【図５】図５（ａ）〜（ｄ）は、それぞれ図４に開示したウェブブラウザの一部を示す図である。
【図６】本発明の動作を示すシーケンス図である。
【符号の説明】
【００５５】
１  ユーザ端末
２  管理サーバ
３  ウェブサーバ
４  ツールバー
１０  ウェブブラウザ（ウェブサイト閲覧手段）
１１  ユーザ登録処理部
１２  リンクデータ受付処理部
１３  リンク表示処理部（リンク表示手段）
１４  閲覧データ通知処理部（閲覧通知手段）
１５  サイトアドレス収集処理部
１６  ユーザＩＤ記憶部
２０  ユーザ管理ＤＢ
２１  ユーザ登録処理部
２２  リンクデータ送信処理部（リンクデータ送信手段）
２３  サイトデータ受付処理部
２４  ポイント付加処理部（ポイント付加手段）
２５  ポイント管理処理部（ポイント管理手段）
２６  ユーザデータ記憶部
２７  広告データ記憶部（リンクデータ記憶手段）
３０  ウェブサイト
４１  広告表示部
４２  情報表示部
【図１】
2006309381.tif 000003
【図２】
2006309381.tif 000004
【図３】
2006309381.tif 000005
【図４】
2006309381.tif 000006
【図５】
2006309381.tif 000007
【図６】
2006309381.tif 000008